(57)【要約】      （修正有）【課題】工具部の機能に合った形状で工具用グリップに工具部を固定することができる工具用グリップを提供する。【解決手段】異なる種類の工具部が着脱交換可能に取り付けられてそれぞれの工具を構成する工具用グリップ１０であって、第１の工具部１を挿入する第１挿入部２０と、第１の工具部１を第１挿入部２０に挿入した状態でロックする第１ロック手段３０と、第１の工具部１と形状の異なる第２の工具部を挿入し、第２の工具部の挿入方向Ｏが第１挿入部２０に対する第１の工具部１の挿入方向Ｏと略同一方向となり、第１挿入部２０と重なるように配置される第２挿入部４０と、第２の工具部を第２挿入部４０に挿入した状態でロックする第２ロック手段５０と、第１ロック手段３０及び第２ロック手段５０をロック状態及びロックの解除状態とするロック・解除手段６０とを備えている。【選択図】図４
0003202866.tif 000002
【実用新案登録請求の範囲】
【請求項１】
異なる種類の工具部が着脱交換可能に取り付けられてそれぞれの工具を構成する工具用グリップであって、
第１の工具部を挿入する第１挿入部と、
前記第１の工具部を前記第１挿入部に挿入した状態でロックする第１ロック手段と、
前記第１の工具部と形状の異なる第２の工具部を挿入し、前記第２の工具部の挿入方向が前記第１挿入部に対する前記第１の工具部の挿入方向と略同一方向となり、前記第１挿入部と重なるように配置される第２挿入部と、
前記第２の工具部を前記第２挿入部に挿入した状態でロックする第２ロック手段と、
前記第１ロック手段及び前記第２ロック手段をロック状態及びロックの解除状態とするロック・解除手段と、
を備えていることを特徴とする工具用グリップ。
【請求項２】
前記第１挿入部の長さより前記第２挿入部の長さの方が長くなるように構成されており、
前記第２ロック手段は、前記第１挿入部の長さより長い位置の第２挿入部に対して設けられていることを特徴とする請求項１に記載の工具用グリップ。
【請求項３】
前記ロック・解除手段は、
回動自在に構成され、一方向に回動することで、前記第１ロック手段と前記第２ロック手段をロック状態となる方向に押圧し、逆方向に回動することで、前記第１ロック手段と前記第２ロック手段の押圧を解除してロック状態を解除する押圧部材と、
該押圧部材を前記一方向に付勢する付勢手段と、
を備えており、
前記第１挿入部に前記第１の工具部を挿入していない状態又は前記第２挿入部に前記第２の工具部を挿入していない状態で、前記付勢手段の付勢力に抗して前記押圧部材を前記逆方向に回動させ、当該状態で、前記第１挿入部に前記第１の工具部を挿入した状態又は前記第２挿入部に前記第２の工具部を挿入した状態とした後、前記付勢手段の付勢力によって前記押圧部材を前記一方向に回動させることで、前記第１の工具部又は前記第２の工具部をロックし、
前記第１挿入部に前記第１の工具部を挿入した状態又は前記第２挿入部に前記第２の工具部を挿入した状態で、前記付勢手段の付勢力に抗して前記押圧部材を前記逆方向に回動させることで、前記第１の工具部又は前記第２の工具部のロック状態を解除するように構成されたことを特徴とする請求項１又は２に記載の工具用グリップ。
【請求項４】
前記第１挿入部と前記第２挿入部の一方が棒状の工具部を挿入するように筒状に形成され、
前記第１挿入部と前記第２挿入部の他方が平板状の工具部を挿入するようにスリット状に形成されていることを特徴とする請求項１乃至３の何れか１つに記載の工具用グリップ。
【考案の詳細な説明】
【技術分野】
【０００１】
この考案は、例えば、作業時に使用者が把持する部分を有する工具において、把持する部分に配設される工具用グリップに関する。
【背景技術】
【０００２】
従来、ドライバ、ノコギリ等の工具は、工具としての機能が設けられた工具部と、当該工具部を固定して作業時に使用者が把持する工具用グリップとで構成されている。
【０００３】
このような工具の中には、工具用グリップに対して工具部が脱着自在になっており、１つの工具用グリップに対して複数種類の工具部を取替可能となっているものがある（例えば、特許文献１参照）。
【先行技術文献】
【特許文献】
【０００４】
【特許文献１】特開２００３−３３４７６７号公報
【考案の概要】
【考案が解決しようとする課題】
【０００５】
しかしながら、上記特許文献１に記載の発明では、複数種類の工具部を取り付けられるとしても、工具用グリップへの取付部分が同じ形状でないと取り付けることができなかった。
【０００６】
ここで、工具部の機能等によっては工具用グリップの固定部分に工具部の取付部分の形状を合わせるのが難しいものがあり、その結果、特定の機能の工具部は工具用グリップに取り付けることができない、という問題が生じていた。
【０００７】
本考案はこのような問題に鑑みてなされたものであり、工具用グリップに対する形状が異なったものでも取り付けることができる工具用グリップを提供することを課題としている。
【課題を解決するための手段】
【０００８】
かかる課題を達成するために、請求項１に記載の考案は、異なる種類の工具部が着脱交換可能に取り付けられてそれぞれの工具を構成する工具用グリップであって、第１の工具部を挿入する第１挿入部と、前記第１の工具部を前記第１挿入部に挿入した状態でロックする第１ロック手段と、前記第１の工具部と形状の異なる第２の工具部を挿入し、前記第２の工具部の挿入方向が前記第１挿入部に対する前記第１の工具部の挿入方向と略同一方向となり、前記第１挿入部と重なるように配置される第２挿入部と、前記第２の工具部を前記第２挿入部に挿入した状態でロックする第２ロック手段と、前記第１ロック手段及び前記第２ロック手段をロック状態及びロックの解除状態とするロック・解除手段と、を備えていることを特徴とする。
【０００９】
請求項２に記載の発明は、請求項１に記載の構成に加え、前記第１挿入部の長さより前記第２挿入部の長さの方が長くなるように構成されており、前記第２ロック手段は、前記第１挿入部の長さより長い位置の第２挿入部に対して設けられていることを特徴とする。
【００１０】
請求項３に記載の発明は、請求項１又は２に記載の構成に加え、前記ロック・解除手段は、回動自在に構成され、一方向に回動することで、前記第１ロック手段と前記第２ロック手段をロック状態となる方向に押圧し、逆方向に回動することで、前記第１ロック手段と前記第２ロック手段の押圧を解除してロック状態を解除する押圧部材と、該押圧部材を前記一方向に付勢する付勢手段と、を備えており、前記第１挿入部に前記第１の工具部を挿入していない状態又は前記第２挿入部に前記第２の工具部を挿入していない状態で、前記付勢手段の付勢力に抗して前記押圧部材を前記逆方向に回動させ、当該状態で、前記第１挿入部に前記第１の工具部を挿入した状態又は前記第２挿入部に前記第２の工具部を挿入した状態とした後、前記付勢手段の付勢力によって前記押圧部材を前記一方向に回動させることで、前記第１の工具部又は前記第２の工具部をロックし、前記第１挿入部に前記第１の工具部を挿入した状態又は前記第２挿入部に前記第２の工具部を挿入した状態で、前記付勢手段の付勢力に抗して前記押圧部材を前記逆方向に回動させることで、前記第１の工具部又は前記第２の工具部のロック状態を解除するように構成されたことを特徴とする。
【００１１】
請求項４に記載の発明は、請求項１乃至３の何れか一つに記載の構成に加え、前記第１挿入部と前記第２挿入部の一方が棒状の工具部を挿入するように筒状に形成され、前記第１挿入部と前記第２挿入部の他方が平板状の工具部を挿入するようにスリット状に形成されていることを特徴とする。
【考案の効果】
【００１２】
請求項１に記載の考案によれば、形状の異なる複数の工具部を挿入する複数の挿入部と、工具部を挿入部に挿入した状態でロックする複数のロック手段と、当該複数のロック手段をロック状態及びロックの解除状態とするロック・解除手段とを備えているため、形状の異なる複数の工具部を交換して使用可能にすることができる。その結果、工具部に対応した形状で工具用グリップに固定することができ、多種多様な工具部を１つの工具用グリップで使用することができる。
【００１３】
請求項２に記載の考案によれば、複数の挿入部で長さを異ならせて、それぞれのロック手段の位置を挿入部の長さに合わせて異ならせたため、ロック手段同士が干渉することなく、それぞれの形状の工具部を挿入したときに確実にロックすることができる。
【００１４】
請求項３に記載の考案によればロック・解除手段が、押圧部材と付勢手段を備えていて、押圧部材を付勢手段の付勢力によって一方向に回動させることで第１ロック手段と第２ロック手段をロック状態とし、押圧部材を付勢手段の付勢力に抗して逆方向に回動させることで第１ロック手段と第２ロック手段のロック状態を解除するようになっているため、簡単な操作で工具部を固定したり固定解除したりすることができる。
【００１５】
請求項４に記載の考案によれば、挿入部の一方が棒状の工具部を挿入するように筒状に形成され、挿入部の他方が平板状の工具部を挿入するようにスリット状に形成されているため、具体的に工具部の形状として必要な２つのパターンを固定して使用することができる工具用グリップとすることができる。
【図面の簡単な説明】
【００１６】
【図１】この考案の実施の形態に係る工具用グリップと棒状の工具部を示す斜視図である。
【図２】同実施の形態に係る図１の工具用グリップと平板状の工具部示す斜視図である。
【図３】同実施の形態に係る図１の工具用グリップに図１の棒状の工具部を固定した状態を示す斜視図である。
【図４】同実施の形態に係る図３のＡ−Ａ断面図である。
【図５】同実施の形態に係る図２の工具用グリップに図２の平板状の工具部を固定した状態を示す斜視図である。
【図６】同実施の形態に係る図５のＢ−Ｂ断面図である。
【図７】同実施の形態に係る図４のＣ−Ｃ線で図３の状態の工具用グリップを切断した断面図である。
【図８】同実施の形態に係る図７のロック状態を解除した状態を示す断面図である。
【図９】同実施の形態に係る図６のＤ−Ｄ線で図５の状態の工具用グリップを切断した断面図である。
【図１０】同実施の形態に係る図９のロック状態を解除した状態を示す断面図である。
【考案を実施するための形態】
【００１７】
図１〜１０は、この考案の実施の形態を示す。
【００１８】
まず構成を説明すると、この実施の形態の工具は、いわゆる手動工具であり、例えば各種ドライバやノコギリ、レンチ、キリ、ノミ、ヤスリ、手鈎等が挙げられる。このような工具は、前記したような工具の機能を発揮する工具部と、当該工具部を固定して使用者が把持する工具用グリップとを有している。この実施の形態では、１つの工具用グリップに対して、異なる種類の工具部が着脱交換可能に取り付けられて、それぞれの工具として使用可能になるように構成されている。
【００１９】
このうち、工具部の例として、図１に示すようなドライバの機能を発揮する第１の工具部１と、図２に示すようなノコギリの機能を発揮する第２の工具部２について説明する。
【００２０】
第１の工具部１は、図１に示すように、鋼などの金属製で棒状に形成されている。また、その先端にドライバとしての機能を有する形状に形成された第１機能部１Ａを有している。また、後端に後述する工具用グリップ１０（図１参照）に挿入して固定される第１被挿入部１Ｂを有している。また、第１被挿入部１Ｂは略六角柱形状に形成されており、その側面の所定位置にロック用の凹み部１Ｃが形成されている。
【００２１】
第２の工具部２は、図２に示すように、鋼などの金属製で平板状に形成されている。また、その先端側にノコギリとしての機能を有する形状に形成された第２機能部２Ａを有している。また、後端に後述する工具用グリップ１０（図２参照）に挿入して固定される第２被挿入部２Ｂを有している。また、第２被挿入部２Ｂは第２機能部２Ａと略同じ厚みの平板状に形成されており、その板面の所定位置にロック用の孔部２Ｃが形成されている。
【００２２】
また、工具用グリップ１０は、シリコーンゴムやウレタンゴム等の合成ゴムや天然ゴム等の弾性部材で長細形状に形成され、図１〜６に示すように、使用者が把持するグリップ本体１１と、第１の工具部１と第２の工具部２の双方を固定可能で、その何れかを固定して工具として使用可能な状態とする固定部１２とを有している。なお、図１〜６に図示するグリップ本体１１は、全体のうちの上側の一部のみを図示しており、全体としては使用者が把持するのに不都合のない長さ、太さ、形状に適宜構成されている。
【００２３】
固定部１２は、主に鋼等の金属で構成され、グリップ本体１１の先端に一部が挿入された状態で当該グリップ本体１１に固定されており、第１挿入部２０と、第１ロック手段３０と、第２挿入部４０と、第２ロック手段５０と、ロック・解除手段６０とを有している。
【００２４】
第１挿入部２０は、第１の工具部１の第１被挿入部１Ｂを挿入するための挿入孔であり、図１，３，４，７，８に示すように、固定部１２の先端から工具用グリップ１０の軸方向Ｏに沿う方向を挿入方向として所定の長さに形成され、断面視略六角形状の第１被挿入部１Ｂに対応する断面視略六角形の筒状に形成されている。また、この第１挿入部２０の側壁２１の所定位置には、第１ロック手段３０が設けられている。この第１ロック手段３０は、第１の工具部１の第１被挿入部１Ｂを第１挿入部２０に挿入した状態でロックして抜けない状態とし、第１の工具部１を固定して工具として使用可能にするものである。この実施の形態では、第１の工具部１の第１被挿入部１Ｂを第１挿入部２０の奥まで挿入した状態における、第１の工具部１の凹み部１Ｃの位置に対向する第１挿入部２０の側壁２１に、工具用グリップ１０の軸方向Ｏに直交する方向（以下、直交方向と言う）Ｑに貫通する第１貫通孔３１が形成されており、当該第１貫通孔３１に２つの金属製のボール３２Ａ，３２Ｂが挿入された状態となっている。
【００２５】
この金属製のボール３２Ａ，３２Ｂは、第１貫通孔３１内を直交方向Ｑに移動自在になっており、後述するロック・解除手段６０の押圧部材としてのリング部材６１で外側のボール３２Ａが内側に押圧されると、第１貫通孔３１内を２つのボール３２Ａ，３２Ｂが内側に移動して、内側のボール３２Ｂが側壁２１から所定量（ここではボール３２Ｂ半個分程度）突出するようになっている。このボール３２Ｂの凹み部１Ｃへの突出を、リング部材６１でキープしてボール３２Ｂが外側に移動しないようにすることで、凹み部１Ｃにボール３２Ｂが引っ掛かって第１被挿入部１Ｂが第１挿入部２０から抜けない状態とし、工具用グリップ１０に対して第１の工具部１が固定されたロック状態を形成するようになっている。
【００２６】
第２挿入部４０は、第２の工具部２の第２被挿入部２Ｂを挿入するための挿入孔であり、図２，５，６，９，１０に示すように、前記した第１挿入部２０と同じく固定部１２の先端から工具用グリップ１０の軸方向Ｏに沿う方向を挿入方向として形成され、第１挿入部２０と重なるように平板形状の第２被挿入部２Ｂに対応するスリット状に形成され、第１挿入部２０より長くなるように形成されている。また、この第２挿入部４０の側壁４１の第１挿入部２０の底部より深い位置には、第２ロック手段５０が設けられている。この第２ロック手段５０は、第２の工具部２の第２被挿入部２Ｂを第２挿入部４０に挿入した状態でロックして抜けない状態とし、第２の工具部２を固定して工具として使用可能にするものである。この実施の形態では、第２の工具部２の第２被挿入部２Ｂを第２挿入部４０の奥まで挿入した状態における、第２の工具部２の孔部２Ｃの位置に対向する第２挿入部４０の側壁４１に、工具用グリップ１０の直交方向Ｑに貫通する第２貫通孔５１が形成されており、当該第２貫通孔５１に金属製のピン５２が挿入された状態となっている。
【００２７】
この金属製のピン５２は、第２貫通孔５１内を直交方向Ｑに移動自在になっており、かつ、ピン５２の周囲に配置されたピン用コイルバネ５３で外側に向けて付勢されている。詳述すると、図９に示すように、ピン５２における内側の先端部５２Ａが略円錐形状に形成されていて孔部２Ｃに挿入可能になっている。また、ピン５２における外側の後端部５２Ｂがフランジ形状に形成されて第２貫通孔５１の径より大きくされており、ピン５２が第２貫通孔５１に対して所定量以上内側に挿入されないようになっている。また、ピン５２の後端部５２Ｂは軽く丸みを帯びた形状に形成されている。また、第２貫通孔５１は外側より内側の径が小さくなる段差部５１Ａを有しており、この段差部５１Ａとピン５２の後端部５２Ｂの間にピン用コイルバネ５３が配置されることで、双方が離れる方向に付勢され、ピン５２が外側に向けて付勢されるようになっている。
【００２８】
また、後述するロック・解除手段６０のリング部材６１でピン５２の後端部５２Ｂが内側に押圧されると、外側に付勢しているピン用コイルバネ５３の付勢力に抗して第２貫通孔５１内をピン５２が内側に移動して、先端部５２Ａが第２の工具部２の第２被挿入部２Ｂの孔部２Ｃに挿入されるようになっている。この先端部５２Ａの孔部２Ｃへの挿入状態を、リング部材６１でキープしてピン５２が外側に移動しないようにすることで、第２被挿入部２Ｂが第２挿入部４０から抜けない状態とし、工具用グリップ１０に対して第２の工具部２が固定されたロック状態を形成するようになっている。
【００２９】
また、ロック・解除手段６０は、第１ロック手段３０及び第２ロック手段５０をロック状態にして第１の工具部１及び第２の工具部２を固定部１２に固定状態とすると共に、第１ロック手段３０に固定されたロック状態の第１の工具部１や第２ロック手段５０に固定されたロック状態の第２の工具部２の当該ロック状態を解除するものであり、リング部材６１と付勢手段６２とを有している。この実施の形態のリング部材６１は、グリップ本体１１及び固定部１２の第１挿入部２０、第１ロック手段３０、第２挿入部４０、第２ロック手段５０に対して、軸方向Ｏを軸にして回動自在に構成された回動部材となっており、一方向Ｘに回動すると、第１ロック手段３０のボール３２Ａ，３２Ｂと第２ロック手段５０のピン５２をロック状態となる方向（ここでは内側方向）に押圧するようになっている。また、逆方向Ｙに回動すると、第１ロック手段３０のボール３２Ａ，３２Ｂと第２ロック手段５０のピン５２への押圧を解除して、それぞれのロック状態を解除するようになっている。また、付勢手段６２は、リング部材６１の内側に配置され、軸方向Ｏを軸にして巻回されたコイルバネ等で構成されており、ここでは、リング部材６１をロック状態にする一方向Ｘに付勢するようになっている。
【００３０】
詳述すると、図７，８に示すように、リング部材６１を付勢手段６２の付勢力で一方向Ｘに回動させる（図８の状態から図７の状態にする）と、リング部材６１の内側に形成された内側に徐々に突出していく略円弧形状の第１偏心押圧部６１Ａにより、外側のボール３２Ａが押圧されて２つのボール３２Ａ，３２Ｂが内側に移動して、内側のボール３２Ｂが凹み部１Ｃに突出するようになっている。また、固定部１２における一部には所定長さの溝部１２Ａ（ここでは略９０°分の略円弧形状の溝部）が形成されており、リング部材６１の一部には、この溝部１２Ａに対応するように内側に突出した突起部６１Ｃを備えており、リング部材６１の回動に伴ってこの突起部６１Ｃが溝部１２Ａを摺動するようになっている。そして、リング部材６１を一方向Ｘに回動させて、突起部６１Ｃが溝部１２Ａの一端に当接して、リング部材６１が停止した位置（図７の状態）が、第１偏心押圧部６１Ａが最も内側に突出してボール３２Ａ，３２Ｂが最も内側に押圧される位置となっている。このようにして内側のボール３２Ｂが凹み部１Ｃに突出した結果、第１の工具部１が第１挿入部２０から抜け出さない状態となるものである。
【００３１】
また、同様に、図９，１０に示すように、リング部材６１を付勢手段６２の付勢力で一方向Ｘに回動させる（図１０の状態から図９の状態にする）と、リング部材６１の内側に形成された内側に徐々に突出していく略円弧形状の第２偏心押圧部６１Ｂ（第１偏心押圧部６１Ａより下方に形成されている）により、ピン５２の後端部５２Ｂが押圧されて、ピン５２が内側に移動して、先端部５２Ａが孔部２Ｃに挿入されるようになっている。そして、リング部材６１を一方向Ｘに回動させて、突起部６１Ｃが溝部１２Ａの一端に当接して、リング部材６１が停止した位置（図９の状態）が、第１偏心押圧部６１Ａと同様に、第２偏心押圧部６１Ｂが最も内側に突出してピン５２が最も内側に押圧される位置となっている。このようにしてピン５２が孔部２Ｃに挿入された結果、第２の工具部２が第２挿入部４０から抜け出さない状態となるものである。また、このとき、ピン５２の後端部５２Ｂが丸みを帯びた形状に形成されているため、略円弧形状の第２偏心押圧部６１Ｂでピン５２を押圧するときに滑らかにピン５２を動かすことができる。
【００３２】
また、リング部材６１を付勢手段６２の付勢力に抗して逆方向Ｙに回動させる（図７の状態から図８の状態にする）と、ボール３２Ａ，３２Ｂの位置が第１偏心押圧部６１Ａから外れて当該ボール３２Ａ，３２Ｂの押圧が解除されて、ボール３２Ａ，３２Ｂが外側に移動可能となり、凹み部１Ｃが上方に移動するときにボール３２Ｂが外側に移動するようになっている。そして、リング部材６１を逆方向Ｙに回動させて、突起部６１Ｃが溝部１２Ａの他端に当接して、リング部材６１が停止した位置（図８の状態）が、第１偏心押圧部６１Ａが最も引っ込んだ状態となる位置となっている。このようにして第１偏心押圧部６１Ａによるボール３２Ａ，３２Ｂへの押圧を解除した結果、第１の工具部１が第１挿入部２０から抜け出せる状態となるものである。
【００３３】
また、同様に、リング部材６１を付勢手段６２の付勢力に抗して逆方向Ｙに回動させる（図９の状態から図１０の状態にする）と、第２偏心押圧部６１Ｂによるピン５２の押圧が解除されて、ピン用コイルバネ５３の付勢力によりピン５２が外側に移動して孔部２Ｃから離脱する。そして、リング部材６１を逆方向Ｙに回動させて、突起部６１Ｃが溝部１２Ａの他端に当接して、リング部材６１が停止した位置（図１０の状態）が、第２偏心押圧部６１Ｂが最も引っ込んだ状態となる位置となっている。このようにして第２偏心押圧部６１Ｂによるピン５２への押圧を解除した結果、第２の工具部２が第２挿入部４０から抜け出せる状態となるものである。
【００３４】
次に、この実施の形態の作用について説明する。始めに、第１の工具部１を脱着するときについて説明する。
【００３５】
まず、第１挿入部２０に第１の工具部１を挿入していない状態で、付勢手段６２の付勢力に抗してリング部材６１を逆方向Ｙに回動させ、突起部６１Ｃが溝部１２Ａの他端に当接して、リング部材６１が停止した状態（図８の状態）で、第１挿入部２０に第１の工具部１の第１被挿入部１Ｂを奥まで挿入した状態とする。その後、付勢手段６２の付勢力によってリング部材６１を一方向Ｘに回動させ、突起部６１Ｃが溝部１２Ａの一端に当接して、リング部材６１が停止した状態（図７の状態）とすることで、第１偏心押圧部６１Ａにより、外側のボール３２Ａを押圧して２つのボール３２Ａ，３２Ｂを内側に移動させて、内側のボール３２Ｂを第１の工具部１の凹み部１Ｃに突出させ、第１の工具部１をロックする。
【００３６】
また、第１挿入部２０に第１の工具部１を挿入した状態で、付勢手段６２の付勢力に抗してリング部材６１を逆方向Ｙに回動させ、突起部６１Ｃが溝部１２Ａの他端に当接して、リング部材６１が停止した状態（図８の状態）とする。これにより、ボール３２Ａ，３２Ｂの位置を第１偏心押圧部６１Ａから外して当該ボール３２Ａ，３２Ｂの押圧を解除し、ボール３２Ａ，３２Ｂを外側に移動可能として、凹み部１Ｃの上方への移動でボール３２Ｂが外側に移動するようして第１の工具部１のロック状態を解除して、第１の工具部１を取り外すことができるようにする。
【００３７】
次に、第２の工具部２を脱着するときについて説明する。
【００３８】
まず、第２挿入部４０に第２の工具部２を挿入していない状態で、付勢手段６２の付勢力に抗してリング部材６１を逆方向Ｙに回動させ、突起部６１Ｃが溝部１２Ａの他端に当接して、リング部材６１が停止した状態（図１０の状態）で、第２挿入部４０に第２の工具部２を奥まで挿入した状態とする。その後、付勢手段６２の付勢力によってリング部材６１を一方向Ｘに回動させ、突起部６１Ｃが溝部１２Ａの一端に当接して、リング部材６１が停止した状態（図９の状態）とすることで、第２偏心押圧部６１Ｂにより、ピン５２の後端部５２Ｂを押圧して、ピン５２を内側に移動させて、先端部５２Ａを孔部２Ｃに挿入させ、第２の工具部２をロックする。
【００３９】
また、第２挿入部４０に第２の工具部２を挿入した状態で、付勢手段６２の付勢力に抗してリング部材６１を逆方向Ｙに回動させ、突起部６１Ｃが溝部１２Ａの他端に当接して、リング部材６１が停止した状態（図１０の状態）とする。これにより、第２偏心押圧部６１Ｂによるピン５２の押圧を解除して、ピン用コイルバネ５３の付勢力によりピン５２を外側に移動させて孔部２Ｃから抜き、第２の工具部２のロック状態を解除して、第２の工具部２を取り外すことができるようにする。
【００４０】
以上のように、この実施の形態の工具用グリップ１０によれば、形状の異なる第１の工具部１の第１被挿入部１Ｂ及び第２の工具部２の第２被挿入部２Ｂを挿入する第１挿入部２０及び第２挿入部４０と、第１の工具部１及び第２の工具部２を第１挿入部２０及び第２挿入部４０に挿入した状態でロックする第１ロック手段３０及び第２ロック手段５０と、これら第１ロック手段３０及び第２ロック手段５０をロック状態及びロックの解除状態とするロック・解除手段６０とを備えているため、形状の異なる第１の工具部１及び第２の工具部２を交換して使用可能にすることができる。その結果、第１の工具部１及び第２の工具部２に対応した形状で工具用グリップ１０に固定することができ、多種多様な工具部１，２を１つの工具用グリップ１０で使用することができる。
【００４１】
また、この実施の形態の工具用グリップ１０によれば、第１挿入部２０と第２挿入部４０で長さを異ならせて、それぞれの第１ロック手段３０と第２ロック手段５０の位置を第１挿入部２０と第２挿入部４０の長さに合わせて異ならせたため、ロック手段３０，５０同士が干渉することなく、それぞれの形状の工具部１，２を挿入したときに確実にロックすることができる。
【００４２】
また、この実施の形態の工具用グリップ１０によれば、ロック・解除手段６０が、リング部材６１と付勢手段６２を備えていて、リング部材６１を付勢手段６２の付勢力によって一方向Ｘに回動させることで第１ロック手段３０と第２ロック手段５０をロック状態とし、リング部材６１を付勢手段６２の付勢力に抗して逆方向Ｙに回動させることで第１ロック手段３０と第２ロック手段５０のロック状態を解除するようになっているため、簡単な操作で工具部１，２を固定したり固定解除したりすることができる。
【００４３】
また、この実施の形態の工具用グリップ１０によれば、第１挿入部２０が棒状の第１の工具部１を挿入するように筒状に形成され、第２挿入部４０が平板状の第２の工具部２を挿入するようにスリット状に形成されているため、具体的に工具部１，２の形状として必要な２つのパターンを固定して使用することができる工具用グリップ１０とすることができる。
【００４４】
なお、前記した実施の形態は本考案の例示であり、本考案が前記した実施の形態のみに限定されることを意味するものではないことは、いうまでもない。
【００４５】
例えば、前記した実施の形態においては、工具用グリップ１０に脱着される工具部１，２としてはドライバとノコギリを例に説明したが、これに限るものではなく、ペンチ、スパナ、ニッパ等、各種の手動工具であってもよい。また、手動工具のみならず、例えば、電動ドリル、グラインダ等、使用者が把持する部分を有する電動工具であってもよいし、使用者が把持する部分を有するものであれば、空圧工具、大工工具、切削工具等、どのような工具に用いられてもよい。
【００４６】
また、前記した実施の形態では、棒状の第１の工具部１と平板状の第２の工具部２を固定することができるようになっていたが、これに限るものではなく、棒状と平板状の組み合わせ以外の工具部（例えば、形状の異なる平板状同士、形状の異なる棒状同士、棒状と角状のもの同士等）を固定可能となっていても良い。
【００４７】
さらに、前記した実施の形態では、２種類の工具部１，２を固定可能となっていたが、これに限るものではなく、３種類以上の工具部を固定可能に構成されていても良い。
【００４８】
また、前記した実施の形態では、２つのボール３２Ａ，３２Ｂやピン５２を用いたロック手段３０，５０を用いていたが、これに限るものではなく、双方が干渉せずにそれぞれの工具部をロック可能なものであれば、他の構成のロック手段であっても良い。
【００４９】
また、前記した実施の形態では、回動させることで偏心押圧部６１Ａ，６１Ｂを回動させ、これによりロックしたりロック解除したりする構成のロック・解除手段６０を備えていたが、これに限るものではなく、回動以外の動きでロックしたりロック解除したりできる構成のロック・解除手段であっても良い。また、工具部を固定する手段と解除する手段が別の構成となっていても良い。
【００５０】
また、前記した実施の形態では、グリップ本体１１はゴムで構成されていたが、これに限るものではなく、弾性部材であれば、樹脂、草木等の自然材料、紙等、どのようなものでグリップ本体１１が構成されていても良い。さらに、使用者が把持することができるものであれば、グリップ本体１１が弾性部材以外の部材で構成されていても良い。
【符号の説明】
【００５１】
１・・・第１の工具部（工具部）
２・・・第２の工具部（工具部）
１０・・・工具用グリップ
１１・・・グリップ本体
２０・・・第１挿入部
３０・・・第１ロック手段
４０・・・第２挿入部
５０・・・第２ロック手段
６０・・・解除手段
６１・・・リング部材（押圧部材）
６２・・・付勢手段
Ｏ・・・軸方向（挿入方向）
Ｘ・・・一方向
Ｙ・・・逆方向
【図１】
0003202866.tif 000003
【図２】
0003202866.tif 000004
【図３】
0003202866.tif 000005
【図４】
0003202866.tif 000006
【図５】
0003202866.tif 000007
【図６】
0003202866.tif 000008
【図７】
0003202866.tif 000009
【図８】
0003202866.tif 000010
【図９】
0003202866.tif 000011
【図１０】
0003202866.tif 000012